(57)【要約】【課題】本発明の目的は、着色剤として溶解度の低い酸性染料又は天然染料及び界面活性剤を併用しても、低温での経時安定性があり染料が析出することがないため、ペン先に染料が析出する欠点がなく、かつ書き味に優れた水性筆記具用インキ組成物または当該インキを用いたマーキングペンを提供することである。【解決手段】酸性染料又は天然染料、水、二重結合を有する脂肪酸を含むノニオン系活性剤を含有した水性筆記具用インキ組成物とすることで、低温での経時安定性があり、染料が析出することがないため、ペン先に染料が析出する欠点がなく、かつ書き味に優れた水性筆記具用インキ組成物を提供でき、特に当該インキ組成物を、マーキングペンにすると、低温での経時安定性があり、ペン先に染料が析出せず、かつ書き味に優れたマーキングペンを得ることができる。【選択図】なし【特許請求の範囲】
【請求項１】
１）酸性染料又は天然染料
２）水
３）二重結合を有する脂肪酸を含むノニオン系活性剤
を含有した水性筆記具用インキ組成物。
【請求項２】
前記の二重結合を有する脂肪酸を含むノニオン活性剤が、ポリグリセリン脂肪酸モノエステルである請求項１記載の水性筆記具用インキ組成物。
【請求項３】
前記の酸性染料が食用染料である請求項１〜２記載の水性筆記具用インキ組成物。
【請求項４】
前記水性筆記具が、水性マーキングペンである請求項１〜３記載の水性筆記具用インキ組成物。
【請求項５】
請求項４記載のインキ組成物を、中芯に充填またはインキ組成物をそのままペン本体に充填し、且つペン先が繊維束、焼結体またはプラスチックよりなるマーキングペン。
【発明の詳細な説明】
【０００１】
【発明の属する技術分野】
本発明は水性筆記具用インキ組成物または当該インキを用いたマーキングペンに関するものである。更に詳しく言えば低温での経時安定性に優れている水性筆記具用インキ組成物または当該インキを用いたマーキングペンに関するものである。
【０００２】
【従来の技術】
従来から、着色剤に染料を用いる水性筆記具用インキ組成物が特開平０４−２９８５７７号公報（特許文献１参照）、特開平０４−３１８０８１号公報（特許文献２参照）及び特開平６−３２２０９号公報（特許文献３参照）等にて公知となっている。これらのインキ組成物は、書き味を良くするために表面張力調整剤として界面活性剤が使用されている。しかし着色剤として溶解度の低い酸性染料を使用した場合、特に低温での経時安定性に乏しく、染料が析出することがあり、界面活性剤を配合することによりさらに経時安定性が悪くなることがある。そのため、ペン先に染料が析出することもあった。
【０００３】
【先行文献１】
特開平０４−２９８５７７号公報
【先行文献２】
特開平０４−３１８０８１号公報
【先行文献３】
特開平６−３２２０９号公報
【０００４】
【発明が解決しようとする課題】
本発明の目的は、着色剤として溶解度の低い酸性染料及び界面活性剤を併用しても、低温での経時安定性があり、染料が析出することがないため、ペン先に染料が析出する欠点がなく、かつ書き味に優れた水性筆記具用インキ組成物または当該インキを用いたマーキングペンを提供することである。
【０００５】
【課題を解決するための手段】
本発明はこれらの欠点を解決すべく鋭意研究を重ねた結果、
１）酸性染料又は天然染料
２）水
３）二重結合を有する脂肪酸を含むノニオン系活性剤
を含有した水性筆記具用インキ組成物を採用することで、上記欠点を解決することを見出した。
【０００６】
すなわち、本発明の水性筆記具用インキ組成物は、染料溶解安定性および表面張力調整を目的として二重結合を有する脂肪酸を含むノニオン系活性剤を含有する。表面張力が高すぎると書き味が悪く、筆記した時に紙にインキが浸透しにくく筆跡の乾燥が遅くなるが、一般的な界面活性剤で表面張力を調整すると、特に低温での保存時、溶解度が低下して染料が析出し、ペン先で目詰まりを起こし筆記不能となる。本発明者が鋭意研究した結果、二重結合を有する脂肪酸を含むノニオン系活性剤を用いると染料の溶解安定性を向上させ、かつ書き味も良くなり、従って低温保存時でも筆記性を損なうことなく滑らかに筆記でき、筆跡の乾燥性も良くなることを見出し、本発明を完成するに至った。
【０００７】
さらに本発明では、安全性を重視する場合には酸性染料として食用染料が使用されることが好ましい。また、二重結合を有する脂肪酸を含むノニオン系活性剤のうちポリグリセリン脂肪酸モノエステルが食品添加物であるため、これら構成要素に加えて他添加剤も食品添加物を選択すれば、子供が誤ってなめても安全なインキとなり得る。上記溶解性、安全性から本発明は、天然染料も好ましく用いることができる。
【０００８】
また、上記インキ組成物を水性マーキングペン、特に中芯に充填またはインキ組成物をそのままペン本体に充填し、且つペン先が繊維束、焼結体またはプラスチックよりなるマーキングペンにすると、低温での経時安定性があり、ペン先に染料が析出せず、かつ書き味に優れたマーキングペンを得ることができる。
【０００９】
【実施の形態】
本発明の水性筆記具用インキ組成物は
１）酸性染料又は天然染料
２）水
３）二重結合を有する脂肪酸を含むノニオン系活性剤
を含有した水性筆記具用インキ組成物または当該インキ組成物を用いたマーキングペンである。
【００１０】
（着色剤）
本発明は、着色剤としては水溶性の染料であれば酸性染料、塩基性染料及び天然染料等が使用できるが、低温での溶解度を良くする効果を発揮する点で酸性染料を使用する場合に好適である。当該酸性染料の具体例としては、C.I.Acid Yellow 1、C.I.Acid Yellow 3、C.I.Acid Yellow 7:1、C.I.Acid Yellow 8
Ｃ．Ｉ．Ａｃｉｄ  Ｙｅｌｌｏｗ  ９、C.I.Acid Yellow 10、C.I.Acid Yellow 11、C.I.Acid Yellow 17
Ｃ．Ｉ．Ａｃｉｄ  Ｙｅｌｌｏｗ  １８、C.I.Acid Yellow 19、C.I.Acid Yellow 23、C.I.Acid Yellow 25
Ｃ．Ｉ．Ａｃｉｄ  Ｙｅｌｌｏｗ  ３６、C.I.Acid Yellow 38、C.I.Acid Yellow 40、C.I.Acid Yellow 40:1
Ｃ．Ｉ．Ａｃｉｄ  Ｙｅｌｌｏｗ  ４２、C.I.Acid Yellow 44、C.I.Acid Yellow 44:1、C.I.Acid Yellow 49
Ｃ．Ｉ．Ａｃｉｄ  Ｙｅｌｌｏｗ  ５４、C.I.Acid Yellow 59、C.I.Acid Yellow 61、C.I.Acid Yellow 64
Ｃ．Ｉ．Ａｃｉｄ  Ｙｅｌｌｏｗ  ６５、C.I.Acid Yellow 72、C.I.Acid Yellow 75、C.I.Acid Yellow 79
Ｃ．Ｉ．Ａｃｉｄ  Ｙｅｌｌｏｗ  ９９、C.I.Acid Yellow 104、C.I.Acid Yellow 110、C.I.Acid Yellow 114
Ｃ．Ｉ．Ａｃｉｄ  Ｙｅｌｌｏｗ  １１６、C.I.Acid Yellow 117、C.I.Acid Yellow 118、C.I.Acid Yellow 119
Ｃ．Ｉ．Ａｃｉｄ  Ｙｅｌｌｏｗ  １２１、C.I.Acid Yellow 127、C.I.Acid Yellow 129、C.I.Acid Yellow 135、C.I.Acid Yellow 141、C.I.Acid Yellow 143、C.I.Acid Yellow 151、C.I.Acid Yellow 155、C.I.Acid Yellow 157、C.I.Acid Yellow 158、C.I.Acid Yellow 159、C.I.Acid Yellow 161、C.I.Acid Yellow 169、C.I.Acid Yellow 176、C.I.Acid Yellow 184、C.I.Acid Yellow 193、C.I.Acid Yellow 194、C.I.Acid Yellow 196、C.I.Acid Yellow 197、C.I.Acid Yellow 199、C.I.Acid Yellow 204、C.I.Acid Yellow 207、C.I.Acid Yellow 214、C.I.Acid Yellow 215:1、C.I.Acid Yellow 218、C.I.Acid Yellow 219、C.I.Acid Yellow 220、C.I.Acid Yellow 221、C.I.Acid Yellow 230、C.I.Acid Yellow 232、C.I.Acid Yellow 241、C.I.Acid Yellow 242
C.I.Acid Orange 3、C.I.Acid Orange 7、C.I.Acid Orange 10、C.I.Acid Orange 19
Ｃ．Ｉ．Ａｃｉｄ  Ｏｒａｎｇｅ  ２４、C.I.Acid Orange 33、C.I.Acid Orange 39、C.I.Acid Orange 43
Ｃ．Ｉ．Ａｃｉｄ  Ｏｒａｎｇｅ  ５１、C.I.Acid Orange 51S、C.I.Acid Orange 56、C.I.Acid Orange 67
Ｃ．Ｉ．Ａｃｉｄ  Ｏｒａｎｇｅ  ７４、C.I.Acid Orange 80、C.I.Acid Orange 86、C.I.Acid Orange 87
Ｃ．Ｉ．Ａｃｉｄ  Ｏｒａｎｇｅ  ８８、C.I.Acid Orange 94、C.I.Acid Orange 95、C.I.Acid Orange 107
Ｃ．Ｉ．Ａｃｉｄ  Ｏｒａｎｇｅ  １０８、C.I.Acid Orange 116、C.I.Acid Orange 122、C.I.Acid Orange 127
Ｃ．Ｉ．Ａｃｉｄ  Ｏｒａｎｇｅ  １４０、C.I.Acid Orange 141、C.I.Acid Orange 142、C.I.Acid Orange 144
Ｃ．Ｉ．Ａｃｉｄ  Ｏｒａｎｇｅ  １４５、C.I.Acid Orange 149、C.I.Acid Orange 154、C.I.Acid Orange 156
Ｃ．Ｉ．Ａｃｉｄ  Ｏｒａｎｇｅ  １６２、C.I.Acid Orange 166
Ｃ．Ｉ．Ａｃｉｄ  Ｒｅｄ  １、C.I.Acid Red 6、C.I.Acid Red 8、C.I.Acid Red 9、C.I.Acid Red 13
Ｃ．Ｉ．Ａｃｉｄ  Ｒｅｄ  １４、C.I.Acid Red 18、C.I.Acid Red 27、C.I.Acid Red 35、C.I.Acid Red 37
Ｃ．Ｉ．Ａｃｉｄ  Ｒｅｄ  ４２、C.I.Acid Red 52、C.I.Acid Red 57、C.I.Acid Red 66、C.I.Acid Red 73
Ｃ．Ｉ．Ａｃｉｄ  Ｒｅｄ  ８０、C.I.Acid Red 82、C.I.Acid Red 88、C.I.Acid Red 89、C.I.Acid Red 97
Ｃ．Ｉ．Ａｃｉｄ  Ｒｅｄ  ９７：１、C.I.Acid Red 106、C.I.Acid Red 111、C.I.Acid Red 114
Ｃ．Ｉ．Ａｃｉｄ  Ｒｅｄ  １１８、C.I.Acid Red 119、C.I.Acid Red 127、C.I.Acid Red 128
Ｃ．Ｉ．Ａｃｉｄ  Ｒｅｄ  １２９、C.I.Acid Red 131、C.I.Acid Red 134、C.I.Acid Red 138
Ｃ．Ｉ．Ａｃｉｄ  Ｒｅｄ  １４３、C.I.Acid Red 145、C.I.Acid Red 151、C.I.Acid Red 154
C.I.Acid Red 158、C.I.Acid Red 183、C.I.Acid Red 186、C.I.Acid Red 195
Ｃ．Ｉ．Ａｃｉｄ  Ｒｅｄ  １９８、C.I.Acid Red 211、C.I.Acid Red 214、C.I.Acid Red 215
Ｃ．Ｉ．Ａｃｉｄ  Ｒｅｄ  ２１７、C.I.Acid Red 219、C.I.Acid Red 221、C.I.Acid Red 225
Ｃ．Ｉ．Ａｃｉｄ  Ｒｅｄ  ２２６、C.I.Acid Red 228、C.I.Acid Red 249、C.I.Acid Red 251
Ｃ．Ｉ．Ａｃｉｄ  Ｒｅｄ  ２５２、C.I.Acid Red 254、C.I.Acid Red 256、C.I.Acid Red 257
Ｃ．Ｉ．Ａｃｉｄ  Ｒｅｄ  ２５９、C.I.Acid Red 260、C.I.Acid Red 261、C.I.Acid Red 263
Ｃ．Ｉ．Ａｃｉｄ  Ｒｅｄ  ２６５、C.I.Acid Red 266、C.I.Acid Red 274、C.I.Acid Red 276
Ｃ．Ｉ．Ａｃｉｄ  Ｒｅｄ  ２７７、C.I.Acid Red 278、C.I.Acid Red 296、C.I.Acid Red 299
Ｃ．Ｉ．Ａｃｉｄ  Ｒｅｄ  ３０１、C.I.Acid Red 307、C.I.Acid Red 308、C.I.Acid Red 315
Ｃ．Ｉ．Ａｃｉｄ  Ｒｅｄ  ３１６、C.I.Acid Red 317、C.I.Acid Red 318、C.I.Acid Red 336
Ｃ．Ｉ．Ａｃｉｄ  Ｒｅｄ  ３３７、C.I.Acid Red 341、C.I.Acid Red 355、C.I.Acid Red 357
Ｃ．Ｉ．Ａｃｉｄ  Ｒｅｄ  ３５９、C.I.Acid Red 361、C.I.Acid Red 362、C.I.Acid Red 363
Ｃ．Ｉ．Ａｃｉｄ  Ｒｅｄ  ３６６、C.I.Acid Red 396、C.I.Acid Red 405、C.I.Acid Red 407
Ｃ．Ｉ．Ａｃｉｄ  Ｒｅｄ  ４１４、C.I.Acid Red 415、C.I.Acid Red 416
Ｃ．Ｉ．Ａｃｉｄ  Ｖｉｏｌｅｔ  １９、C.I.Acid Violet 41、C.I.Acid Violet 42、C.I.Acid Violet 47
Ｃ．Ｉ．Ａｃｉｄ  Ｖｉｏｌｅｔ  ４８、C.I.Acid Violet 49、C.I.Acid Violet 54、C.I.Acid Violet 58
Ｃ．Ｉ．Ａｃｉｄ  Ｖｉｏｌｅｔ  ６６、C.I.Acid Violet 68、C.I.Acid Violet 75、C.I.Acid Violet 78
Ｃ．Ｉ．Ａｃｉｄ  Ｖｉｏｌｅｔ  ９０、C.I.Acid Violet 97、C.I.Acid Violet 103、C.I.Acid Violet 104
Ｃ．Ｉ．Ａｃｉｄ  Ｖｉｏｌｅｔ  １０９、C.I.Acid Violet 120、C.I.Acid Violet 126、C.I.Acid Violet 129
Ｃ．Ｉ．Ａｃｉｄ  Ｂｌｕｅ  １、C.I.Acid Blue 7、C.I.Acid Blue 9、C.I.Acid Blue 23
Ｃ．Ｉ．Ａｃｉｄ  Ｂｌｕｅ  ２５、C.I.Acid Blue 40、C.I.Acid Blue 41、C.I.Acid Blue 45
Ｃ．Ｉ．Ａｃｉｄ  Ｂｌｕｅ  ４７、C.I.Acid Blue 59、C.I.Acid Blue 61:1、C.I.Acid Blue 62
Ｃ．Ｉ．Ａｃｉｄ  Ｂｌｕｅ  ７２、C.I.Acid Blue 74、C.I.Acid Blue 78、C.I.Acid Blue 80、
C.I.Acid Blue 82、C.I.Acid Blue 83、C.I.Acid Blue 86、C.I.Acid Blue 90
C.I.Acid Blue 92、C.I.Acid Blue 100、C.I.Acid Blue 102、C.I.Acid Blue 103
Ｃ．Ｉ．Ａｃｉｄ  Ｂｌｕｅ  １１２、C.I.Acid Blue 113、C.I.Acid Blue 114、C.I.Acid Blue 120
Ｃ．Ｉ．Ａｃｉｄ  Ｂｌｕｅ  １２３、C.I.Acid Blue 126、C.I.Acid Blue 127、C.I.Acid Blue 127:1
Ｃ．Ｉ．Ａｃｉｄ  Ｂｌｕｅ  １２８：１、C.I.Acid Blue 129、C.I.Acid Blue 138、C.I.Acid Blue 140
Ｃ．Ｉ．Ａｃｉｄ  Ｂｌｕｅ  １４２、C.I.Acid Blue 151、C.I.Acid Blue 156、C.I.Acid Blue 158
Ｃ．Ｉ．Ａｃｉｄ  Ｂｌｕｅ  １６１、C.I.Acid Blue 170、C.I.Acid Blue 171、C.I.Acid Blue 175
Ｃ．Ｉ．Ａｃｉｄ  Ｂｌｕｅ  １８２、C.I.Acid Blue 185、C.I.Acid Blue 193、C.I.Acid Blue 198
Ｃ．Ｉ．Ａｃｉｄ  Ｂｌｕｅ  １９９、C.I.Acid Blue 203、C.I.Acid Blue 204、C.I.Acid Blue 205
Ｃ．Ｉ．Ａｃｉｄ  Ｂｌｕｅ  ２０６、C.I.Acid Blue 207、C.I.Acid Blue 208、C.I.Acid Blue 209
Ｃ．Ｉ．Ａｃｉｄ  Ｂｌｕｅ  ２１３、C.I.Acid Blue 220、C.I.Acid Blue 221、C.I.Acid Blue 224
Ｃ．Ｉ．Ａｃｉｄ  Ｂｌｕｅ  ２２５、C.I.Acid Blue 227、C.I.Acid Blue 229、C.I.Acid Blue 230
Ｃ．Ｉ．Ａｃｉｄ  Ｂｌｕｅ  ２３２、C.I.Acid Blue 234、C.I.Acid Blue 239、C.I.Acid Blue 247
Ｃ．Ｉ．Ａｃｉｄ  Ｂｌｕｅ  ２５２、C.I.Acid Blue 258、C.I.Acid Blue 260、C.I.Acid Blue 264
Ｃ．Ｉ．Ａｃｉｄ  Ｂｌｕｅ  ２７７、C.I.Acid Blue 278、C.I.Acid Blue 279、C.I.Acid Blue 280
Ｃ．Ｉ．Ａｃｉｄ  Ｂｌｕｅ  ２８４、C.I.Acid Blue 285、C.I.Acid Blue 290、C.I.Acid Blue 296
Ｃ．Ｉ．Ａｃｉｄ  Ｂｌｕｅ  ３００、C.I.Acid Blue 317、C.I.Acid Blue 324、C.I.Acid Blue 333
Ｃ．Ｉ．Ａｃｉｄ  Ｂｌｕｅ  ３３５、C.I.Acid Blue 338、C.I.Acid Blue 341、C.I.Acid Blue 342
Ｃ．Ｉ．Ａｃｉｄ  Ｂｌｕｅ  ３４３
Ｃ．Ｉ．Ａｃｉｄ  Ｇｒｅｅｎ  ９、C.I.Acid Green 12、C.I.Acid Green 16、C.I.Acid Green 19
Ｃ．Ｉ．Ａｃｉｄ  Ｇｒｅｅｎ  ２０、C.I.Acid Green 25、C.I.Acid Green 27、C.I.Acid Green 28
Ｃ．Ｉ．Ａｃｉｄ  Ｇｒｅｅｎ  ４０、C.I.Acid Green 43、C.I.Acid Green 50、C.I.Acid Green 56
Ｃ．Ｉ．Ａｃｉｄ  Ｇｒｅｅｎ  ７３、C.I.Acid Green 75、C.I.Acid Green 81、C.I.Acid Green 84
Ｃ．Ｉ．Ａｃｉｄ  Ｇｒｅｅｎ  １０４、C.I.Acid Green 106、C.I.Acid Green 108
Ｃ．Ｉ．Ａｃｉｄ  Ｂｒｏｗｎ  ２、C.I.Acid Brown 2:1、C.I.Acid Brown 4、C.I.Acid Brown 10
Ｃ．Ｉ．Ａｃｉｄ  Ｂｒｏｗｎ  １１、C.I.Acid Brown 13、C.I.Acid Brown 14、C.I.Acid Brown 19
Ｃ．Ｉ．Ａｃｉｄ  Ｂｒｏｗｎ  ２８、C.I.Acid Brown 44、C.I.Acid Brown 45、C.I.Acid Brown 46
Ｃ．Ｉ．Ａｃｉｄ  Ｂｒｏｗｎ  ４７、C.I.Acid Brown 224、C.I.Acid Brown 226、C.I.Acid Brown 227
Ｃ．Ｉ．Ａｃｉｄ  Ｂｒｏｗｎ  ２４８、C.I.Acid Brown 253、C.I.Acid Brown 254、C.I.Acid Brown 258
Ｃ．Ｉ．Ａｃｉｄ  Ｂｒｏｗｎ  ２６６、C.I.Acid Brown 282、C.I.Acid Brown 283、C.I.Acid Brown 284
Ｃ．Ｉ．Ａｃｉｄ  Ｂｒｏｗｎ  ２８７、C.I.Acid Brown 289、C.I.Acid Brown 294、C.I.Acid Brown 297
C.I.Acid Brown 298、C.I.Acid Brown 301、C.I.Acid Brown 304、C.I.Acid Brown 330
Ｃ．Ｉ．Ａｃｉｄ  Ｂｒｏｗｎ  ３３１、C.I.Acid Brown 333、C.I.Acid Brown 355、C.I.Acid Brown 357
Ｃ．Ｉ．Ａｃｉｄ  Ｂｒｏｗｎ  ３６３、C.I.Acid Brown 365、C.I.Acid Brown 369、C.I.Acid Brown 413
Ｃ．Ｉ．Ａｃｉｄ  Ｂｒｏｗｎ  ４１５
Ｃ．Ｉ．Ａｃｉｄ  Ｂｌａｃｋ  １、C.I.Acid Black 3、C.I.Acid Black 7、C.I.Acid Black 24
Ｃ．Ｉ．Ａｃｉｄ  Ｂｌａｃｋ  ２６、C.I.Acid Black 31、C.I.Acid Black 48、C.I.Acid Black 50
Ｃ．Ｉ．Ａｃｉｄ  Ｂｌａｃｋ  ５２、C.I.Acid Black 52:1、C.I.Acid Black 58、C.I.Acid Black 60
Ｃ．Ｉ．Ａｃｉｄ  Ｂｌａｃｋ  ６３、C.I.Acid Black 63S、C.I.Acid Black 64、C.I.Acid Black 107
Ｃ．Ｉ．Ａｃｉｄ  Ｂｌａｃｋ  １０９、C.I.Acid Black 110、C.I.Acid Black 112、C.I.Acid Black 118
Ｃ．Ｉ．Ａｃｉｄ  Ｂｌａｃｋ  １１９、C.I.Acid Black 131、C.I.Acid Black 132、C.I.Acid Black 140
Ｃ．Ｉ．Ａｃｉｄ  Ｂｌａｃｋ  １５５、C.I.Acid Black 164、C.I.Acid Black 170、C.I.Acid Black 172
Ｃ．Ｉ．Ａｃｉｄ  Ｂｌａｃｋ  １８７、C.I.Acid Black 192:2、C.I.Acid Black 194、C.I.Acid Black 207
等が挙げられ、市販品としては、Ａｉｚｅｎ  Ｔａｒｔｒａｚｉｎｅ  ｃｏｎｃ.（Ａｃｉｄ  Ｙｅｌｌｏｗ２３：保土谷化学）、Ａｉｚｅｎ  Ａｃｉｄ  ＲｈｏｄａｍｉｎｅＢＨ（Ａｃｉｄ  Ｒｅｄ５２：保土谷化学）、Ｂｒｉｌｌｉａｎｔ  Ｓｃａｒｌｅｔ  ３Ｒ（Ａｃｉｄ  Ｒｅｄ  １８：住友化学工業）などの商品名が挙げられる。また、酸性染料の中でも以下のような食用染料が安全性の点で好ましい。
Ｃ．Ｉ．Ｎｏ．１９１４０（食用黄色４号）、Ｃ．Ｉ．Ｎｏ．１５９８５（食用黄色５号）、Ｃ．Ｉ．Ｎｏ．１６０３５（食用赤色４０号）、Ｃ．Ｉ．Ｎｏ．１６１８５（食用赤色２号）、Ｃ．Ｉ．Ｎｏ．１６２５５（食用赤色１０２号）、Ｃ．Ｉ．Ｎｏ．４５１００（食用赤色１０６号）、Ｃ．Ｉ．Ｎｏ．４５４１０（食用赤色１０４号）、Ｃ．Ｉ．Ｎｏ．４５４３０（食用赤色３号）、Ｃ．Ｉ．Ｎｏ．４５４４０（食用赤色１０５号）、Ｃ．Ｉ．Ｎｏ．４２０９０（食用青色１号）、Ｃ．Ｉ．Ｎｏ．７３０１５（食用青色２号）、Ｃ．Ｉ．Ｎｏ．４２０５３（食用緑色３号）、
【００１１】
また、安全性の点では、天然染料も好ましい。天然染料の具体例としては、ベニバナ黄系色素、ウコン黄系色素、パブリカ橙系色素、コチニール系赤色素、クチナシ系青系色素、クチナシ系緑系色素、β-カロチン系色素、アナトー橙系色素、紅小麹赤系色素、ラック赤系色素、ブドウ果皮赤系色素、ビートレッド赤系色素、シソ赤系色素、ベリー類赤系色素、クロロフィル緑系色素、カカオ褐色系色素、コーリャン褐色系色素等が挙げられる。これらの着色材は単独又は二種以上組み合わせて使用できる。
【００１２】
これらの着色材の使用量は組成物全量に対して０．１〜１０重量％使用でき、好ましくは０．１〜６重量％の使用できる。０．１重量％未満では筆跡が薄くなり、１０重量％を超えると濃度消光を起こし発色が悪くなる。また、溶解度を超えてしまい、溶け残りや低温での析出が起こる。
【００１３】
（界面活性剤）
二重結合を有する脂肪酸を含むノニオン系活性剤が使用でき、具体的にはポリグリセリンモノ脂肪酸エステルが好適である。さらに具体的にはモノオレイン酸デカグリセリル、モノリノール酸デカグリセリルが好適である。
【００１４】
これらの界面活性剤の使用量は組成物全量に対して０．００１〜１重量％の範囲が好ましく、さらには０．００５〜０．５重量％の範囲が好ましい。使用量が０．００１重量％未満では表面張力が高いため書き味が悪くなり、またインキが紙に浸透しにくくなり筆跡の乾燥速度が遅くなる。また染料の溶解安定性に寄与せず低温保存で染料の析出が起こる。一方、１重量％を超えると表面張力が下がりすぎ、インキ洩れの原因となる。また、筆記時、滲みや裏移りが起こる。さらに１重量％を超える場合も染料の溶解安定性が悪くなり、却って染料の析出を促進することとなる。
【００１５】
（湿潤剤）
キャップオフ剤として通常使用されるようなグリコール、グリセリンなどの他、Ｄ−ソルビットも使用できる。これらの湿潤剤は単独又は二種以上組み合わせて使用できる。
【００１６】
これらの湿潤剤の使用量は組成物全量に対して１〜２０重量％の範囲が好ましい。使用量が１重量％未満ではキャップオフ効果が弱く、キャップを開けたまま放置するとペン先がカスレて筆記不能となり、２０重量％を超えると粘度が高くなり筆記困難となる。特にグリセリンが過剰になると滲みや裏移りが起こる。
【００１７】
（防腐剤）
食用添加剤として使用されるものを使うと、インキ組成物の全てを食用添加剤のみにすることが可能である。このような防腐剤としては安息香酸ソーダ、ソルビン酸カリウム、プロピオン酸ナトリウム、チアベンダゾールなどが挙げられる。これらの防腐剤は単独又は二種以上組み合わせて使用できる。
【００１８】
これらの防腐剤の使用量は組成物全量に対して０．１〜１０重量％の範囲が好ましい。使用量が０．１重量％未満では防腐効果がなく、１０重量％を超えて配合してもそれ以上の効果はない。
【００１９】
（その他の添加剤）
その他、必要に応じてｐＨ調整剤も適宜選択して使用可能である。ｐＨ調整剤としては、重炭酸ソーダ、炭酸カリウム、リンゴ酸、クエン酸等が使用可能である。
【００２０】
（マーキングぺン）
本発明のインキ組成物は、水性筆記具であれば適用できるが、その中でもマーキングペンに適している。特に、中芯に充填またはインキ組成物をそのままペン本体に充填し、且つペン先が繊維束、焼結体またはプラスチックよりなるマーキングペンに適している。即ち、マーキンペンには、インキ組成物をマーキングペン容器に直接充填する所謂フリーインキ式とインキ組成物をインキ吸蔵体である中芯に充填し、当該中芯をマーキングペン容器内に挿入する所謂中芯式があり、本発明のインキ組成物は、フリーインキ式、中芯式の双方に適用できる。ここで、中芯にはアクリル繊維、ポリエステル繊維等の繊維束を樹脂被覆又はセロハン紙で巻いたもの等がある。またペン先に於いては、アクリル繊維、ポリエステル繊維等の繊維束に樹脂を含浸させペン先としたもの、樹脂粒子を焼結することでポーラス状としたもの、プラスチックの成型物の棒状体の断面にスリットを設けてペン先としたもの等がある。
【００２１】
【実施例】
次に実施例により本発明をさらに詳細に説明する。なお、本発明の範囲は、これらの実施例の範囲に限定されるものではない。
【００２２】
実施例１〜４及び比較例１〜４
表１に示す組成のインキをそれぞれ調製した。調製法としては各成分を配合し、３枚プロペラの撹拌機で２時間撹拌してインキを得た。尚、表１組成は重量％を示す。
【００２３】
【表１】
2005089480.tif 000002
【００２４】
（インキ組成物の評価）
実施例１〜４及び比較例１〜４で得られた水性インキ組成物を中芯に充填し、繊維束でできているペン先を持つペン本体に装填する。
ペンの保存安定性確認法としては、ペン先を下に向けて冷蔵1ヶ月保存し、1ヵ月後冷蔵庫から取り出して、筆記できるかどうかを確認した。
また、インキをガラスビンに入れてそのまま冷蔵庫で1ヶ月保存し、析出の有無を確認した。
筆記性能では、筆跡乾燥速度および滲み、裏抜けを確認した。
筆跡乾燥速度は、上質紙に５秒おきに1分までＶ字を書き、最後のＶ字を書いて５秒後、アート紙を重ねて５００ｇ分銅で上から５回擦り、筆跡が転写されなくなる秒数を確認する。
滲み、裏抜けは、上質紙に文字を書き、滲み度合い、裏移りの程度を目視で判断する。
【００２５】
（評価結果）
実施例１〜４に係る水性インキ組成物は表１のように、冷蔵1ヶ月で析出がなく、筆記性にも異常はなかった。乾燥速度は全て５秒以内であり、滲みや裏抜けもなかった。
一方、比較例１〜４に係る水性インキ組成物では活性剤を配合しなければ冷蔵1ヶ月で析出が認められ、ペンはカスレが起こり、筆跡乾燥速度も遅くなる。
一方、脂肪酸に二重結合を持たない活性剤を配合すると、冷蔵1ヶ月で析出や凝集塊が見られ、ペンはカスレた。
【００２６】
【発明の効果】
以上のように本発明の水性筆記具用インキ組成物は、１）酸性染料 ２）水 ３）二重結合を有する脂肪酸を含むノニオン系活性剤を含有しているので経時安定性に優れ、ペン先に染料が析出する欠点がなく、かつ書き味に優れている。特に当該インキ組成物を、中芯に充填またはインキ組成物をそのままペン本体に充填し、且つペン先が繊維束、焼結体またはプラスチックよりなるマーキングペンにすると、低温での経時安定性があり、ペン先に染料が析出せず、かつ書き味に優れたマーキングペンを得ることができる。